【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
車両のドアに固定されるよう適合される支持ケースと、
前記支持ケース内に配置され、ロック位置とアンロック位置との間を回動して前記ドアをロック及びアンロックするよう適合されるロックレバーと、
前記支持ケースに設けられたストッパ部と、
前記ロックレバーに設けられたストッパ当接部と、
前記ロックレバーを前記ロック位置と前記アンロック位置との中間位置から遠ざけるように付勢し、その付勢力によって、前記ロックレバーの前記ストッパ当接部を前記支持ケースの前記ストッパ部に前記ロック位置又は前記アンロック位置で押し付ける弾性部材と、を備え、
前記支持ケースは、前記ロックレバーを回動可能に支持しかつ前記弾性部材を弾性変形可能に支持した第１ケース分割体と、前記ストッパ部を有した第２ケース分割体とを、前記ロックレバーの回動軸方向で合体することにより構成され、
前記第１ケース分割体に設けられ、前記第１ケース分割体と前記第２ケース分割体が分離した状態で、前記弾性部材と協働して前記ロックレバーの回動を規制し、前記ロックレバーが前記弾性部材から付勢力を受けずかつ前記ストッパ当接部が前記回動軸方向で前記ストッパ部と対向する待機位置に前記ロックレバーを保持する待機位置保持部と、
前記第１ケース分割体と前記第２ケース分割体とに設けられ、合体過程の前記第１ケース分割体と前記第２ケース分割体との横ずれを規制するように互いに係合して、前記ストッパ当接部と前記ストッパ部とが前記回動軸方向で対向した状態に維持する合体ガイドと、
前記ストッパ部及び前記ストッパ当接部の何れか一方に設けられて、前記第１ケース分割体及び前記第２ケース分割体の合体過程で他方に摺接して前記ロックレバーを前記弾性部材に押し付ける側に回動させて前記待機位置から前記ロック位置又は前記アンロック位置に移動するストッパガイドとを備えた、ドアロック装置。
【請求項２】
前記ストッパ部及び前記ストッパ当接部の何れか一方に設けられた前記ストッパガイドが他方に摺接する前に、前記合体ガイドが互いに係合する、請求項１に記載のドアロック装置。
【請求項３】
前記ロックレバーの回動中心を中心とした円弧孔を前記ロックレバーに貫通形成して、その円弧孔の一端部の開口縁を前記ストッパ当接部とし、
前記第２ケース分割体から突出して前記円弧孔の内部に突入した筒形ストッパ突部を設けて前記ストッパ部とすると共に、その筒形ストッパ突部の先端部にテーパ面を形成して前記ストッパガイドとし、
さらに、前記第１ケース分割体から突出して前記合体過程で前記筒形ストッパ突部の内側にスライド係合するガイド支柱を設けて、そのガイド支柱と前記筒形ストッパ突部とを前記合体ガイドとした、請求項１又は２に記載のドアロック装置。
【請求項４】
前記ロックレバーの回動中心に貫通形成された回動中心孔と、
前記第１ケース分割体から突出して前記回動中心孔に挿入され、前記ロックレバーを回動可能に支持する円筒軸支突部と、
前記第２ケース分割体から突出して前記合体過程で前記円筒軸支突部の内側にスライド係合する軸心支柱とを設けた、請求項３に記載のドアロック装置。
【請求項５】
前記ガイド支柱の基端部で、前記ロックレバーに連動して回動する連動回動部品を回動可能に軸支した、請求項３又は４に記載のドアロック装置。
【手続補正２】
【補正対象書類名】明細書
【補正対象項目名】０００６
【補正方法】変更
【補正の内容】
【０００６】
上記目的を達成するためになされた請求項１の発明に係るドアロック装置は、車両のドアに固定されるよう適合される支持ケースと、支持ケース内に配置され、ロック位置とアンロック位置との間を回動してドアをロック及びアンロックするよう適合されるロックレバーと、支持ケースに設けられたストッパ部と、ロックレバーに設けられたストッパ当接部と、ロックレバーをロック位置とアンロック位置との中間位置から遠ざけるように付勢し、その付勢力によって、ロックレバーのストッパ当接部を支持ケースのストッパ部にロック位置又はアンロック位置で押し付ける弾性部材と、を備え、支持ケースは、ロックレバーを回動可能に支持しかつ弾性部材を弾性変形可能に支持した第１ケース分割体と、ストッパ部を有した第２ケース分割体とを、ロックレバーの回動軸方向で合体することにより構成され、第１ケース分割体に設けられ、第１ケース分割体と第２ケース分割体が分離した状態で、弾性部材と協働してロックレバーの回動を規制し、ロックレバーが弾性部材から付勢力を受けずかつストッパ当接部が回動軸方向でストッパ部と対向する待機位置にロックレバーを保持する待機位置保持部と、第１ケース分割体と第２ケース分割体とに設けられ、合体過程の第１ケース分割体と第２ケース分割体との横ずれを規制するように互いに係合して、ストッパ当接部とストッパ部とが回動軸方向で対向した状態に維持する合体ガイドと、ストッパ部及びストッパ当接部の何れか一方に設けられて、第１ケース分割体及び第２ケース分割体の合体過程で他方に摺接してロックレバーを弾性部材に押し付ける側に回動させて待機位置からロック位置又はアンロック位置に移動するストッパガイドとを備えたところに特徴を有する。
【手続補正３】
【補正対象書類名】明細書
【補正対象項目名】０００７
【補正方法】変更
【補正の内容】
【０００７】
請求項２の発明は、請求項１に記載のドアロック装置において、ストッパ部及びストッパ当接部の何れか一方に設けられたストッパガイドが他方に摺接する前に、合体ガイドが互いに係合するところに特徴を有する。
【手続補正４】
【補正対象書類名】明細書
【補正対象項目名】００１２
【補正方法】変更
【補正の内容】
【００１２】
第１ケース分割体にロックレバーを組み付けるとき、ロックレバーは、弾性部材から付勢力を受けない待機位置に組み付けられ、弾性部材と待機位置保持部とによってその待機位置に保持される。また、第１ケース分割体と第２ケース分割体との合体過程では、それらに設けられた合体ガイドの係合によって第１ケース分割体と第２ケース分割体との横ずれが規制され、待機位置に保持されたロックレバーのストッパ当接部と第２ケース分割体が有するストッパ部とが、ロックレバーの回動軸方向で対向した状態で維持される。そして、第１ケース分割体と第２ケース分割体との合体過程で、ストッパ部及びストッパ当接部の何れか一方に設けられたストッパガイドが他方に摺接してロックレバーを弾性部材に押し付ける側に回動させる。つまり、第１ケース分割体に対して待機位置で保持されていたロックレバーが、第１ケース分割体と第２ケース分割体との合体過程で待機位置からロック位置又はアンロック位置へと移動する。
【手続補正５】
【補正対象書類名】明細書
【補正対象項目名】００７１
【補正方法】変更
【補正の内容】
【００７１】
図１４及び図１５には、アクティブレバー２５を、アンロック位置よりも中間位置から遠ざかった待機位置（「アンロック位置側の待機位置」という）にして、アクティブレバー回動軸５３に組み付けたときの状態が示されている。同図に示すように、アンロック位置側の待機位置では、アクティブレバー２５の円弧孔２５Ｓのうち第２外面１１Ｂに向かって左側の端部が、ホイール回転軸５４の側面に当接するか又は近接配置される。また、図１４に示すように、節度ピン２５Ｐは、節度バネ２７における１対の摺接突部２７Ａ，２７Ａの頂部よりもコイル部側に遊嵌されている。そして、ホイール回転軸５４と節度バネ２７とが協働してアクティブレバー２５の回動を規制しており、アクティブレバー２５はアンロック位置側の待機位置に保持される。なお、ホイール回転軸５４は、本発明の「待機位置保持部」に相当する。
【手続補正６】
【補正対象書類名】明細書
【補正対象項目名】００９１
【補正方法】変更
【補正の内容】
【００９１】
１０    ドアロック装置
２４    ウォームホイール（連動回動部品）
２５    アクティブレバー（ロックレバー）
２５Ｓ    円弧孔
２５Ｇ    誘導傾斜面（ストッパガイド）
２７    節度バネ（弾性部材）
５０    第１ケース分割体
５３    アクティブレバー回動軸（円筒軸支突部）
５４    ホイール回転軸（ガイド支柱、待機位置保持部）
６０    第２ケース分割体
６３    軸心支柱
６４    筒形ストッパ突部（ストッパ部）
６４Ｇ１    円錐テーパ面（ストッパガイド）